(57)【要約】      （修正有）【課題】スリッタを使用して葉菜類の包装袋にスリットを入れることで、該葉菜類の種類に応じて通気性を変更できるようにした、包装袋を提供する。【解決手段】葉菜類を包装する合成樹脂フイルム製の袋において、袋の正面を構成する正面側の合成樹脂フイルム１、又は、袋の背面を構成する背面側の合成樹脂フイルムは、袋の正面又は背面を横断する方向又は縦断する方向の一方向に沿って、通気用の切れ目９の列を設けている。通気用の切れ目９は、通気用の切れ目９の列と直交する方向に沿っている。【選択図】図１
0003154951.tif 000002
【実用新案登録請求の範囲】
【請求項１】
葉菜類を包装する合成樹脂フイルム製の袋において、
袋の正面を構成する正面側の合成樹脂フイルム、又は、袋の背面を構成する背面側の合成樹脂フイルムは、袋の正面又は背面を横断する方向又は縦断する方向の一方向に沿って、通気用の切れ目の列を設けていることを特徴とする葉菜類の包装袋。
【請求項２】
通気用の切れ目は、通気用切れ目の列と直交する方向に沿っていることを特徴とする請求項１に記載の葉菜類の包装袋。
【請求項３】
葉菜類は、ほうれん草、小松菜又は三つ葉にしていることを特徴とする請求項１又は２に記載の葉菜類の包装袋。
【考案の詳細な説明】
【技術分野】
【０００１】
本考案は、野菜の葉菜類を包装する合成樹脂フイルム製の袋に関する。
【背景技術】
【０００２】
ほうれん草、小松菜や三つ葉のような葉菜類は、収穫されて袋に包装された後も、呼吸作用を継続している。酸素を吸収し、炭酸ガスを排出する。水蒸気や熱を発散する。
【０００３】
葉菜類を包装する袋は、合成樹脂フイルム製にし、合成樹脂フイルムに通気孔を貫通している。通気性を付与している。葉菜類の包装袋は、通気性が低くても、高くても、葉菜類が速く劣化する。通気性が最適であると、葉菜類の鮮度が長く維持される。最適な通気性は、包装する葉菜類の種類や量によって変化する。包装袋の通気性は、通気孔の寸法と個数を増減して調節される。
【０００４】
葉菜類の包装袋を製作する場合、合成樹脂フイルムは、熱針による孔開け機に通し、高温状態の針付きロールで微小な通気孔を無数に貫通する。多孔性にする。通気孔は、合成樹脂フイルムの全面に前後左右に等間隔に配列される。広幅の多孔性合成樹脂フイルムは、スリッタに通し、刃物で複数の帯状に切断して、所望幅の帯状にする。所望幅の帯状の多孔性合成樹脂フイルムは、包装機に装填し、溶着して切断し、葉菜類を包装する。
【先行技術文献】
【特許文献】
【０００５】
【特許文献１】特開平６−１２５６９７号公報
【考案の概要】
【考案が解決しようとする課題】
【０００６】
［課  題］
葉菜類の包装袋は、内容物の葉菜類にとって最適な通気性を得るため、内容物の葉菜類の種類や量によって、合成樹脂フイルムに開ける通気孔の寸法や個数を変える。
【０００７】
ところが、合成樹脂フイルムの通気孔の大きさ、個数や配列間隔を変えるには、熱針による孔開け機の針付きロールを、針の太さ、個数や配列間隔の異なる針付きロールに交換する必要がある。針の異なる針付きロールの購入費や交換の手間が掛かる。合成樹脂フイルムに開ける通気孔の寸法と個数の変更が容易ではない。
【０００８】
また、合成樹脂フイルムに通気孔を前後左右に全面に設けるには、高温状態に加熱する針付きロールを備えた孔開け機を必要とする。大掛かりな孔開け機による工程が必須である。葉菜類の包装袋に用いる合成樹脂フイルムは、簡単に製作し難い。高価になる。
葉菜類の包装袋は、通気性の変更が簡単ではない。最適な通気性を得るのが容易ではない。
【０００９】
［着  想］
葉菜類の包装袋に用いる合成樹脂フイルムは、通気用の孔を前後左右に設けるのではなく、通気用の切れ目の列を一方向に設けることにした。切れ目の列を一方向に設けるため、切れ目形成用の刃物車機構を付設したスリッタを使用することにした。
【００１０】
広幅の合成樹脂フイルムは、切れ目形成用の刃物車機構を付設したスリッタに通すと、所望幅の帯状に切断されると共に、所望幅の帯状の合成樹脂フイルムに切れ目の列がフイルム走行方向に形成される。所望幅の帯状の通気性の合成樹脂フイルムが簡単に得られる。この合成樹脂フイルムは、従来におけるのと同様に、溶着して切断し、葉菜類を包装する。
【００１１】
合成樹脂フイルムの通気性を低くしたり、高くしたりするときには、スリッタに付設の刃物車機構において、刃物車の装着枚数を増減して切れ目の列の本数を変更する。又は、刃物車を刃の長さ、個数や配列間隔の異なるものに交換して、切れ目の長さ、個数や配列間隔を変更する。
【課題を解決するための手段】
【００１２】
１）葉菜類を包装する合成樹脂フイルム製の袋において、
袋の正面を構成する正面側の合成樹脂フイルム、又は、袋の背面を構成する背面側の合成樹脂フイルムは、袋の正面又は背面を横断する方向又は縦断する方向の一方向に沿って、通気用の切れ目の列を設けていることを特徴とする葉菜類の包装袋。
２）上記の葉菜類の包装袋において、
通気用の切れ目は、通気用切れ目の列と直交する方向に沿っていることを特徴とする。
３）上記の葉菜類の包装袋において、
葉菜類は、ほうれん草、小松菜又は三つ葉にしていることを特徴とする。
【考案の効果】
【００１３】
通気性の変更が簡単になる。最適な通気性が容易に得られる。
【図面の簡単な説明】
【００１４】
【図１】本考案の実施形態の第１例における葉菜類の包装袋の正面図。
【図２】図１のＡ−Ａ線端面図。
【図３】同包装袋を製作する帯状通気性合成樹脂フイルムの平面図。
【図４】同帯状通気性合成樹脂フイルムを製作する刃物車機構付きスリッタの概略側面図。
【図５】同刃物車機構付きスリッタの概略平面図。
【図６】実施形態の第２例における葉菜類の包装袋の背面図。
【図７】図６のＢ−Ｂ線端面図。
【図８】同包装袋を製作する帯状通気性合成樹脂フイルムの平面図。
【考案を実施するための形態】
【００１５】
［第１例（図１〜図５参照）］
本例の葉菜類の包装袋は、図１と図２に示すように、正面側の合成樹脂フイルム１と背面側の合成樹脂フイルム２を重ねてそれらの周辺を溶着し、縦長台形状の袋にしている。ほうれん草Ｈを包装する。
【００１６】
この包装袋は、等脚台形状にし、等長の左辺３と右辺４を非平行にし、上辺５と下辺６を平行にして上辺５を下辺６より長くしている。正面側と背面側の合成樹脂フイルム１、２は、左辺３と右辺４をそれぞれ溶着し、下辺６の中央部分を溶着している。溶着左辺３と溶着下辺６の間と、溶着右辺４と溶着下辺６の間には、それぞれ、水抜き孔７を設けている。両合成樹脂フイルム１、２は、上辺５を出し入れ口にし、包装時には閉鎖している。
【００１７】
正面側と背面側の合成樹脂フイルム１、２は、それぞれ、左右に横断する方向に沿って、通気用の切れ目９の列を設けている。通気用の切れ目９の列は、３本にし、上下方向中央位置、この中央位置と上辺５の中間位置、及び、上下方向中央位置と下辺６の中間位置に配置している。各切れ目９は、切れ目９の列と直交する方向に沿っている。各切れ目９が切れ目９の列と平行する方向に沿っている場合より、合成樹脂フイルム１、２は、切れ目の列９の位置で破れ難い。
【００１８】
なお、合成樹脂フイルム１、２は、素材をポリプロピレン、ポリエチレン、ポリアミドやポリエチレンテレフタレートなどにしている。複合又は単層の合成樹脂フイルムにしている。
【００１９】
包装袋を製作する場合、素材の広幅の合成樹脂フイルムは、スリッタに通して、複数の所望幅の帯状に切断すると共に、通気用の切れ目９の列を形成する。所望幅の帯状の通気性の合成樹脂フイルムｆを得る。この帯状の合成樹脂フイルムｆは、図３に示すように、幅を包装袋の正面側と背面側の合成樹脂フイルム１、２の上下方向長さにし、長手方向に沿って通気用の切れ目９の列を形成している。通気用の切れ目９の列は、３本にし、幅方向中央位置、この中央位置と片端の中間位置、及び、幅方向中央位置と他の片端の中間位置に配置している。各切れ目９は、切れ目９の列と直交する方向に沿っている。
【００２０】
スリッタは、図４と図５に示すように、上側ローラ１１と前側ローラ１２を並列している。素材の広幅の合成樹脂フイルムＦは、上側ローラ１１と前側ローラ１２を順次通過する。両ローラ１１、１２の中間位置には、広幅の合成樹脂フイルムＦを複数の幅狭の合成樹脂フイルムｆに切断する刃物１３を設けている。刃物１３は、広幅の合成樹脂フイルムＦの切断位置の上側に配置している。上側ローラ１１の上側位置には、切れ目形成用の切断工具として、平歯車の各歯を刃にしたような形状の刃物車１４を設けている。刃物車１４は、その軸心をローラ１１、１２の軸心と平行にし、各刃を刃物車１４の軸心と平行にしている。この刃物車１４は、幅狭の合成樹脂フイルムｆの切れ目９列形成位置になる位置の上側に配置している。
【００２１】
広幅の合成樹脂フイルムＦは、上側ローラ１１と刃物車１４の間を通過し、その通過時に回転中の刃物車１４が押し付けられ、切れ目９が一定の間隔に刻み込まれる。切れ目９の列が合成樹脂フイルムＦの進行方向、所望幅の帯状の合成樹脂フイルムｆの長手方向に沿って形成される。その後、広幅の合成樹脂フイルムＦは、刃物１３の下側と前側ローラ１２の前側を通過し、刃物位置通過時に刃物１３が押し付けられ、複数の所望幅の帯状の合成樹脂フイルムｆに切断される。各帯状合成樹脂フイルムｆは、それぞれ、切れ目９の列が長手方向に沿って形成されている。切れ目９の列は、３本にしている。
【００２２】
所望幅の帯状の通気性の合成樹脂フイルムｆは、包装袋の正面側の合成樹脂フイルム１を切り取る１枚と、背面側の合成樹脂フイルム２を切り取る１枚を揃えて重ねる。２枚の合成樹脂フイルムｆは、図３に鎖線で示すように、包装袋の溶着左辺３、溶着右辺４と溶着下辺６になる位置を溶着し、溶着左辺３又は溶着右辺４の外側位置で切断する。包装袋を得る。
【００２３】
［第２例（図６〜図８参照）］
本例の葉菜類の包装袋は、図６と図７に示すように、１枚の合成樹脂フイルムの左側部と右側部を同じ側に折り曲げ、合成樹脂フイルムの左辺と右辺を溶着して連結し、合成樹脂フイルムを扁平な筒形状にしている。筒形状の合成樹脂フイルムは、上辺と下辺を溶着して、上端開口と下端開口を閉鎖している。縦長長方形状の袋にしている。ほうれん草Ｈを包装する。
【００２４】
この包装袋は、折り曲げ左辺と折り曲げ右辺、溶着上辺と溶着下辺を有している。背面には、左右方向中央位置に上下方向に沿って合成樹脂フイルムの連結部２１を配置している。背面側の合成樹脂フイルム２２は、連結部２１の左側と右側に、それぞれ、上下に縦断する方向に沿って、通気用の切れ目９の列を設けている。通気用の切れ目９の列は、２本にしている。各切れ目９は、切れ目９の列と直交する方向に沿っている。正面側の合成樹脂フイルム２３も、同様に、上下に縦断する方向に沿って、２本の切れ目９の列を設けている。
【００２５】
包装袋を製作する場合、素材の広幅の合成樹脂フイルムは、スリッタに通して、複数の所望幅の帯状に切断すると共に、通気用の切れ目９の列を形成する。所望幅の帯状の通気性の合成樹脂フイルムｆを得る。この帯状の合成樹脂フイルムｆは、図８に示すように、幅を、包装袋の幅と連結部２１の幅の和の２倍の長さにし、長手方向に沿って、４本の切れ目９の列を形成している。通気用の切れ目９の列は、包装袋の正面になる部分に２本、包装袋の背面になる部分に２本を配列している。各切れ目９は、切れ目９の列と直交する方向に沿っている。
【００２６】
スリッタは、第１例におけるのと同様である。ただし、帯状の通気性の合成樹脂フイルムｆの切断幅と切れ目９の列の本数が異なる。
【００２７】
所望幅の帯状の通気性の合成樹脂フイルムｆは、包装機に装填し、先端部分を水平に配置する。合成樹脂フイルムｆの先端部分は、幅方向中央部分、包装袋の正面になる部分に一把のほうれん草Ｈを載せ、幅方向の左側部と右側部を上側に折り曲げ、左辺と右辺を溶着して連結し、一把のほうれん草Ｈが入った扁平な筒形状にする。この筒形状の合成樹脂フイルムｆは、包装袋の上辺になる位置と下辺になる位置を溶着し、溶着上辺又は溶着下辺の外側位置で切断する。ほうれん草Ｈが入った包装袋を得る。
その他の点は、第１例におけるのと同様である。
【００２８】
［変形例］
１）上記の実施形態において、通気用の切れ目９は、直線にしているが、折れ線や曲線にする。
２）上記の実施形態において、通気用の切れ目９は、包装袋の正面側の合成樹脂フイルムと背面側の合成樹脂フイルムの両面に設けているが、片面の合成樹脂フイルムのみに設ける。
３）上記の実施形態の第１例において、包装袋は、台形状にしているが、長方形状にする。
【符号の説明】
【００２９】
Ｈ  ほうれん草
Ｆ  素材の広幅の合成樹脂フイルム
ｆ  所望幅の帯状の通気性の合成樹脂フイルム
１  正面側の合成樹脂フイルム
２  背面側の合成樹脂フイルム
３  左辺、溶着左辺
４  右辺、溶着右辺
５  上辺、出し入れ口、溶着上辺
６  下辺、溶着下辺
７  水抜き孔
９  通気用の切れ目
２１  合成樹脂フイルムの連結部
２２  背面側の合成樹脂フイルム
２３  正面側の合成樹脂フイルム
【図１】
0003154951.tif 000003
【図２】
0003154951.tif 000004
【図３】
0003154951.tif 000005
【図４】
0003154951.tif 000006
【図５】
0003154951.tif 000007
【図６】
0003154951.tif 000008
【図７】
0003154951.tif 000009
【図８】
0003154951.tif 000010